(57)【要約】【課題】携帯端末などの電子機器であって、入力デバイスの設置スペースが狭くても、大量のデータの中から所望のデータを容易且つスムーズに選択すること。【解決手段】長尺型の多点スイッチデバイス12が備える20個の小型スイッチSW1〜SW20のそれぞれに選択すべき機能名および辞典名K1〜K20を対応付けて設定し、当該多点スイッチ12に対するタッチ操作位置Pに応じて、一連の入力スイッチ…SWn-1,SWn,SWn+1,…に対応する各機能（辞典）名…Kn-1,Kn,Kn+1,…をその配列通りに機能・辞典選択画面Ｇにて表示させると共に、中心の入力スイッチSWnに対応する機能（辞典）名Knを最大サイズに、その隣接する各機能（辞典）名…Kn-1,Kn+1,…を段階的に小さなサイズにして表示させる。タッチ操作の終了に伴い前記入力スイッチ…SWn-1,SWn,SWn+1,…が無くなる直前の中心入力スイッチSWnに対応する機能（辞典）名Knが選択設定される。【選択図】      図６
2008236549.tif 000002
【特許請求の範囲】
【請求項１】
長手方向のタッチ操作位置を検出する操作位置検出手段と、
この操作位置検出手段により検出される複数のタッチ操作位置のそれぞれに対応付けて当該電子機器に搭載された複数の機能を設定する対応機能設定手段と、
前記操作位置検出手段により検出されたタッチ操作位置に応じて前記対応機能設定手段により設定されている機能を表示させる機能表示制御手段と、
前記操作位置検出手段によりタッチ操作位置が検出されなくなった際に、その直前に検出されたタッチ操作位置に応じて前記対応機能設定手段により設定されている機能を選択する機能選択手段と、
を備えたことを特徴とする電子機器。
【請求項２】
前記機能表示制御手段は、前記操作位置検出手段により検出されたタッチ操作位置に応じて前記対応機能設定手段により設定されている機能を最大サイズで表示させると共に、当該タッチ操作位置の隣接位置に対応付けられて設定されている機能を順次小さいサイズにして前記最大サイズで表示された機能に隣接させて表示させることを特徴とする請求項１に記載の電子機器。
【請求項３】
辞書機能を有する電子機器であって、
長手方向のタッチ操作位置を検出する操作位置検出手段と、
この操作位置検出手段により検出される複数のタッチ操作位置のそれぞれに対応付けて前記辞書内の見出し語送り量を設定する見出し語送り量設定手段と、
前記操作位置検出手段により検出されたタッチ操作位置に応じて前記見出し語送り量設定手段により設定されている見出し語送り量に従い前記辞書内の見出し語を送ると共に、当該送られているところの見出し語を表示させる見出し語送り表示制御手段と、
前記操作位置検出手段によりタッチ操作位置が検出されなくなった際に、その直前に検出されたタッチ操作位置に応じて前記見出し語送り表示制御手段により表示されていた見出し語を選択する見出し語選択手段と、
を備えたことを特徴とする電子機器。
【請求項４】
辞書機能を有する電子機器であって、
長手方向のタッチ操作位置を検出する操作位置検出手段と、
この操作位置検出手段により検出される複数のタッチ操作位置のそれぞれに対応付けて前記辞書内の見出し語の文字送り量を設定する文字送り量設定手段と、
前記操作位置検出手段により検出されたタッチ操作位置に応じて前記文字送り量設定手段により設定されている文字送り量に従い前記辞書内の見出し語の文字を送ると共に、当該文字送りされているところの見出し語を表示させる見出し語文字送り表示制御手段と、
前記操作位置検出手段によりタッチ操作位置が検出されなくなった際に、その直前に検出されたタッチ操作位置に応じて前記見出し語文字送り表示制御手段により表示されていた見出し語を選択する見出し語選択手段と、
を備えたことを特徴とする電子機器。
【請求項５】
前記操作位置検出手段は、
複数個の小型スイッチをライン状に配列した長尺型位置検出デバイスを有し、
この長尺型位置検出デバイスに対するタッチ操作に伴い２つ以上の一連の小型スイッチが入力された場合には、その中心のスイッチ位置またはその中心の左右何れか一方のスイッチ位置をタッチ操作位置として検出する、
ことを特徴とする請求項１ないし請求項４の何れか１項に記載の電子機器。
【発明の詳細な説明】
【技術分野】
【０００１】
本発明は、長尺型の位置検出デバイスを利用した入力機能を有する携帯端末などの電子機器に関する。
【背景技術】
【０００２】
従来、例えば携帯電話に代表される携帯端末機器では、本体サイズの小型化が要求されることからキー入力デバイスの設置スペースも狭い範囲に限られている。そして、種々の文字・記号の入力方式には、テンキーを併用した文字めくり方式が広く採用されており、一方で、表示される各種項目の選択には、上下左右の４方向を操作指示可能な１つのカーソルキーによる一項目単位でのカーソル表示送り方式が採用されている。
【０００３】
このため、大量に並べられた同種のデータの中からユーザ所望のデータを選択して指定するのには、非常に面倒で時間の掛かる作業を要する。
【０００４】
またこれ以外にも、全面タッチパネル式の表示画面を備えた携帯端末機器において、その表示画面内の所定の領域を右または左の方向へタッチ操作することで、表示されているデータファイルのページを送ったり戻したりするページめくり方式も考えられている（例えば、特許文献１参照。）。
【特許文献１】特開２００４−０７８９５７号公報
【発明の開示】
【発明が解決しようとする課題】
【０００５】
最近、前述のような携帯端末機器にも電子辞書機能が搭載されたものがあるが、専用のキーボードを有する電子辞書装置と比較すると、文字を入力したりデータを選択したりする操作性が大きく劣り、容易にスムーズなデータ検索が行えない問題がある。
【０００６】
本発明は、このような課題に鑑みなされたもので、入力デバイスの設置スペースが狭くても、大量のデータの中から所望のデータを容易且つスムーズに選択することが可能になる電子機器を提供することを目的とする。
【課題を解決するための手段】
【０００７】
請求項１に記載の電子機器は、長手方向のタッチ操作位置を検出する操作位置検出手段と、この操作位置検出手段により検出される複数のタッチ操作位置のそれぞれに対応付けて当該電子機器に搭載された複数の機能を設定する対応機能設定手段と、前記操作位置検出手段により検出されたタッチ操作位置に応じて前記対応機能設定手段により設定されている機能を表示させる機能表示制御手段と、前記操作位置検出手段によりタッチ操作位置が検出されなくなった際に、その直前に検出されたタッチ操作位置に応じて前記対応機能設定手段により設定されている機能を選択する機能選択手段とを備えたことを特徴としている。
【０００８】
請求項２に記載の電子機器は、前記請求項１に記載の電子機器において、前記機能表示制御手段は、前記操作位置検出手段により検出されたタッチ操作位置に応じて前記対応機能設定手段により設定されている機能を最大サイズで表示させると共に、当該タッチ操作位置の隣接位置に対応付けられて設定されている機能を順次小さいサイズにして前記最大サイズで表示された機能に隣接させて表示させることを特徴としている。
【０００９】
請求項３に記載の電子機器は、辞書機能を有する電子機器であって、長手方向のタッチ操作位置を検出する操作位置検出手段と、この操作位置検出手段により検出される複数のタッチ操作位置のそれぞれに対応付けて前記辞書内の見出し語送り量を設定する見出し語送り量設定手段と、前記操作位置検出手段により検出されたタッチ操作位置に応じて前記見出し語送り量設定手段により設定されている見出し語送り量に従い前記辞書内の見出し語を送ると共に、当該送られているところの見出し語を表示させる見出し語送り表示制御手段と、前記操作位置検出手段によりタッチ操作位置が検出されなくなった際に、その直前に検出されたタッチ操作位置に応じて前記見出し語送り表示制御手段により表示されていた見出し語を選択する見出し語選択手段とを備えたことを特徴としている。
【００１０】
請求項４に記載の電子機器は、辞書機能を有する電子機器であって、長手方向のタッチ操作位置を検出する操作位置検出手段と、この操作位置検出手段により検出される複数のタッチ操作位置のそれぞれに対応付けて前記辞書内の見出し語の文字送り量を設定する文字送り量設定手段と、前記操作位置検出手段により検出されたタッチ操作位置に応じて前記文字送り量設定手段により設定されている文字送り量に従い前記辞書内の見出し語の文字を送ると共に、当該文字送りされているところの見出し語を表示させる見出し語文字送り表示制御手段と、前記操作位置検出手段によりタッチ操作位置が検出されなくなった際に、その直前に検出されたタッチ操作位置に応じて前記見出し語文字送り表示制御手段により表示されていた見出し語を選択する見出し語選択手段とを備えたことを特徴としている。
【００１１】
請求項５に記載の電子機器は、前記請求項１ないし請求項４の何れか１項に記載の電子機器において、前記操作位置検出手段は、複数個の小型スイッチをライン状に配列した長尺型位置検出デバイスを有し、この長尺型位置検出デバイスに対するタッチ操作に伴い２つ以上の一連の小型スイッチが入力された場合には、その中心のスイッチ位置またはその中心の左右何れか一方のスイッチ位置をタッチ操作位置として検出することを特徴としている。
【発明の効果】
【００１２】
本発明によれば、入力デバイスの設置スペースが狭くても、大量のデータの中から所望のデータを容易且つスムーズに選択することが可能になる電子機器を提供できる。
【発明を実施するための最良の形態】
【００１３】
以下図面により本発明の実施の形態について説明する。
【００１４】
（第１実施形態）
図１は、本発明の電子機器の実施形態に係る携帯電話装置（携帯端末機器）１０の外観構成を示す正面図である。
【００１５】
この携帯電話装置１０は、本体ケース１０ａと表示部ケース１９ｂとがその中央のヒンジＨを介して折り畳み可能に構成されており、本体ケース１０ａには、その中央に、電源のＯＮ／ＯＦＦ、モードの設定、数字・文字・記号の入力などを行うためのキー入力部１１、上部に、データの選択、カーソルの移動などを行うための多点スイッチデバイス（長尺型位置検出デバイス）１２、下部に通話音声を入力するマイク１３が設けられる。
【００１６】
前記多点スイッチデバイス１２は、例えば１接点２ｍｍ幅の小型なスイッチデバイスをライン状に２０個（ＳＷ１〜ＳＷ２０）配列した４ｃｍの長さで構成され、ユーザによる指のタッチ操作に応じてスイッチ動作し、その動作したスイッチの位置に応じて機能選択などを行う際の表示項目の選択設定が行われる。
【００１７】
一方、表示部ケース１０ｂには、その中央の略全面に液晶表示部１４，上部に通話音声を出力するスピーカ１５、上端部にアンテナ１６が設けられる。
【００１８】
図２は、前記携帯電話装置１０の電子回路の構成を示すブロック図である。
【００１９】
この携帯電話装置１０の電子回路には、ＣＰＵからなる制御部２１が備えられる。
【００２０】
この制御部２１は、ＲＯＭ２２に予め記憶された装置制御プログラムに従い、ＲＡＭ２３を作業用メモリとして回路各部の動作を制御する。この制御部２１には、前記キー入力部１１、多点スイッチデバイス１２、液晶表示部１４、ＲＯＭ２２、ＲＡＭ２３が接続される他に、前記マイク１３から入力されたユーザの通話音声をデジタル変換後符号化して無線部２５に出力する一方で、該無線部２５により受信入力された相手の通話音声を復号化後アナログ音声に変換して前記スピーカ１５により出力させる音声変換回路２４、そして前記アンテナ１６を介し外部の電話無線基地局（図示せず）との間で前記デジタル符号化された通話音声信号の送受信処理を行う無線部２５が接続される。
【００２１】
前記ＲＯＭ２２に記憶される装置制御プログラムは、キー入力部１１からのユーザ操作に応じたキー入力信号、多点スイッチデバイス１２からのユーザ操作に応じたスイッチ信号、無線部２５からの着呼時受信検出信号などに応じて起動されるもので、この装置制御プログラムとしては、電話通信プログラム、メール通信プログラム、アドレス管理プログラム、スケジュール管理プログラム、Ｗｅｂ表示プロクラム、各種の辞書検索プログラムなど、本携帯電話装置１０に搭載された各種機能を司る複数の制御プログラムが記憶される。
【００２２】
そして前記ＲＯＭ２２には、前記辞書検索プログラムの起動に伴い選択的に読み出される漢字辞典、和英辞典、英和辞典、英英辞典など、多数の辞書コンテンツからなる辞書データベースが記憶される。
【００２３】
図３は、前記携帯電話装置１０のＲＡＭ２３に登録された機能／スイッチ対応テーブル２３ａの内容を示す図である。
【００２４】
この携帯電話装置１０に搭載された前記各種の装置制御プログラムに対応した各種の機能、および辞書検索機能起動時において検索対象となる各種の辞典は、前記多点スイッチデバイス１２のスイッチ動作に応じて選択設定されるもので、図３における機能／スイッチ対応テーブル２３ａにて示すように、当該多点スイッチデバイス１２を構成する２０個の小型スイッチＳＷ１〜ＳＷ２０のそれぞれに対応付けて前記各種の機能および各種の辞典が設定される。
【００２５】
なお、前記多点スイッチデバイス１２は、ユーザがその指でタッチ操作すると、当該指の表面積に応じて複数個（例えば５〜６個）の小型スイッチ…ＳＷn-1，ＳＷｎ，ＳＷn+1，…が共にＯＮ動作するため、ユーザが何れのスイッチ（機能あるいは辞典）ＳＷｎを選択したのかの決定は、多点スイッチデバイス１２から指が離れ始める直前にＯＮ動作している複数個の小型スイッチ…ＳＷn-1，ＳＷｎ，ＳＷn+1，…のうちの中心に位置するスイッチＳＷｎを検出することで行われる。なお、ＯＮ動作しているスイッチＳＷｎが偶数個の場合には、その中心位置の右側（または左側）のスイッチＳＷｎを優先に検出する。
【００２６】
図４は、前記携帯電話装置１０のＲＡＭ２３に備えられた入力スイッチバッファ２３ｂの動作状態を示す図である。
【００２７】
この入力スイッチバッファ２３ｂには、前記多点スイッチデバイス１２に対するユーザのタッチ操作に伴う各小型スイッチＳＷ１〜ＳＷ２０それぞれのＯＮ“１”またはＯＦＦ“０”のデータがリアルタイムに保持されるもので、当該多点スイッチデバイス１２からユーザの指が離れ始める直前のタイミングは、この入力スイッチバッファ２３ｂにて一旦ＯＮ“１”になった一連複数のデータが、図４（Ａ）〜（Ｃ）に示すように、減少し始める直前のタイミング（つまり図４（Ａ）のタイミング）として検出される。そして、この場合にユーザが選択したスイッチＳＷｎは、ＯＮ“１”になっている一連のスイッチＳＷ８〜ＳＷ１２のうちでその中心に位置するスイッチＳＷ１０として決定され、前記図３で示した機能／スイッチ対応テーブル２３ａに従い今回の多点スイッチデバイス１２に対するユーザタッチ操作に伴う機能または辞典が選択設定される。
【００２８】
そして、前記多点スイッチデバイス１２に対するユーザタッチ操作に応じて液晶表示部１４に表示される機能・辞典選択画面Ｇ（図６参照）では、前記機能／スイッチ対応テーブル２３ａ（図３参照）に基づいて、各機能（辞典）名Ｋ１〜Ｋ２０が多点スイッチデバイス１２の各スイッチＳＷ１〜ＳＷ２０の並びに対応して配列表示され、ユーザのタッチ位置Ｐに応じて選択決定されたスイッチＳＷｎに対応するところの機能（辞典）名Ｋｎが最大サイズで表示される。そして、この選択決定された機能（辞典）名Ｋｎの前後に順次隣接する他の機能（辞典）名Ｋn±1，Ｋn±2，…が段階的に小さなサイズで表示される。
【００２９】
次に、前記構成の第１実施形態の携帯電話装置（携帯端末機器）１０による多点スイッチデバイス１２を使用した機能（辞典）選択動作について説明する。
【００３０】
図５は、前記第１実施形態の携帯電話装置（携帯端末機器）１０による機能選択処理を示すフローチャートである。
【００３１】
図６は、前記第１実施形態の携帯電話装置（携帯端末機器）１０による機能選択処理に伴い表示部１４に表示される多点スイッチデバイス１２のユーザタッチ位置Ｐに応じた機能・辞典選択画面Ｇを示す図である。
【００３２】
前記多点スイッチデバイス１２をユーザ操作して本携帯電話装置１０の機能選択または辞書検索に伴う辞典選択を行う際に、当該多点スイッチデバイス１２からのＯＮ信号が検出されると（ステップＳ１）、ＲＡＭ２３内の入力スイッチバッファ２３ｂ（図４参照）にてリアルタイムに記憶される各ＳＷ１〜ＳＷ２０毎のＯＮ“１”またはＯＦＦ“０”のデータに基づき、入力されたスイッチＳＷｎ…が判断される（ステップＳ２）。
【００３３】
すると、例えば図６に示すように、ユーザタッチ位置Ｐに応じて前記ステップＳ２にて判断された各入力スイッチＳＷ14〜ＳＷ18に対応するところの各機能（辞典）名Ｋ14「漢字辞典」〜Ｋ18「英独辞典」が、その各入力スイッチＳＷ14〜ＳＷ18の中心のスイッチＳＷ16に対応する機能（辞典）名Ｋ16「英和辞典」を最大サイズに且つカーソルＣの位置に設定して表示される（ステップＳ３）。
【００３４】
ここで、多点スイッチデバイス１２に対するタッチ操作位置Ｐの変化に応じてその各入力スイッチＳＷｎ…が変化したと判断された場合には（ステップＳ４（ＹＥＳ））、当該各入力スイッチＳＷｎ…の変化状態がその都度改めて判断され（ステップＳ５→Ｓ２）、前記機能・辞典選択画面Ｇにおける各選択機能（辞典）名Ｋｎ…が更新変更されて表示される（ステップＳ３）。
【００３５】
この場合、多点スイッチデバイス１２における一連の複数のスイッチ…ＳＷn-1，ＳＷｎ，ＳＷn+1，…がユーザの指にタッチされてＯＮ“１”、つまり入力されてしまっていても、その中心のスイッチＳＷｎをユーザの選択スイッチとして決定し、この決定されたスイッチＳＷｎに対応する機能（辞典）名Ｋｎを前記機能・辞典選択画面Ｇ上で最大サイズにして且つカーソルＣを位置させて表示させることで、多数の動作機能や辞書コンテンツのなかからでも所望の機能や辞典を容易に且つスムーズに選択設定することができる。
【００３６】
そしてこの後、前記ユーザによる機能選択操作が終わり当該ユーザの指が前記多点スイッチデバイス１２から離れることで入力スイッチ無しと判断されると（ステップＳ５（ＹＥＳ））、前記図４で示したように、前記ユーザの指が多点スイッチデバイス１２から離れる直前の各入力スイッチ…ＳＷn-1，ＳＷｎ，ＳＷn+1，…の中心スイッチＳＷｎに対応して選択機能（辞典）が決定され、前記図６で示したように、その直前にカーソルＣで示され最大サイズで表示されていた機能が起動あるいは辞典が読み出されて実行される（ステップＳ６）。
【００３７】
したがって、前記構成の第１実施形態の携帯電話装置（携帯端末機器）１０による多点スイッチデバイス１２を使用した機能（辞典）選択の機能によれば、多点スイッチデバイス１２が備える２０個の小型スイッチＳＷ１〜ＳＷ２０のそれぞれに選択すべき機能名および辞典名Ｋ１〜Ｋ２０を対応付けて設定し、当該多点スイッチデバイス１２に対するユーザのタッチ操作位置Ｐに応じて、入力（ＯＮ）された一連の小型スイッチ…ＳＷn-1，ＳＷｎ，ＳＷn+1，…に対応する各機能（辞典）名…Ｋn-1，Ｋｎ，Ｋn+1，…をその配列通りに機能・辞典選択画面Ｇにて表示させると共に、中心の入力スイッチＳＷｎに対応する機能（辞典）名Ｋｎを最大サイズに、またその隣接する各機能（辞典）名…Ｋn-1，Ｋn+1，…を段階的に小さなサイズにして表示させる。そして、ユーザタッチ操作の終了に伴い前記入力スイッチ…ＳＷn-1，ＳＷｎ，ＳＷn+1，…が無くなる直前の中心入力スイッチＳＷｎに対応する機能（辞典）名Ｋｎが選択設定されるので、入力デバイスの広い設置スペースを要さずに、多数の動作機能や辞書コンテンツのなかからでも所望の機能や辞典を容易に且つスムーズに選択設定できるようになる。
【００３８】
なお、前記第１実施形態の携帯電話装置（携帯端末機器）１０では、多点スイッチデバイス１２のユーザタッチ操作位置Ｐに応じて多数の動作機能や辞書コンテンツのなかから所望の機能や辞典を選択設定する場合について説明したが、次の第２実施形態において説明するように、前記所望の辞典が選択設定された後に当該設定された辞典に基づき所望の見出し語を検索する場合についても、前記多点スイッチデバイス１２のユーザタッチ操作位置Ｐに応じて行う構成としてもよい。
【００３９】
（第２実施形態）
図７は、本発明の第２実施形態に係る携帯電話装置１０のＲＡＭ２３に登録されたスイッチ位置／送り単語数設定テーブル２３ｃの内容を示す図である。
【００４０】
この第２実施形態の携帯電話装置１０に搭載された辞書検索機能の起動時において、検索対象として設定された辞典内の見出し語は、前記多点スイッチデバイス１２のスイッチ動作に応じて選択されるもので、図７におけるスイッチ位置／送り単語数設定テーブル２３ｃにて示すように、当該多点スイッチデバイス１２を構成する２０個の小型スイッチＳＷ１〜ＳＷ２０を１０分割した２個ずつのエリアに対応付けて段階的に異なる送り（戻り）の単語数が設定される。
【００４１】
具体的には、前記多点スイッチデバイス１２の右半分の５つのエリアにその外側から「１００語」「５０語」「１０語」「５語」「１語」の単語送り数を設定し、反対に左半分の５つのエリアにその外側から「−１００語」「−５０語」「−１０語」「−５語」「−１語」の単語戻り数を設定する。
【００４２】
すなわち、この第２実施形態の携帯電話装置１０では、前記多点スイッチデバイス１２に対するユーザタッチ操作位置Ｐに応じて、辞書検索対象として設定された辞典内に集録されている各見出し語（単語）を送りまたは戻して選択表示させ、所望の見出し語の検索を行う。
【００４３】
図８は、前記第２実施形態の携帯電話装置（携帯端末機器）１０による検索語入力（見出し語検索）処理を示すフローチャートである。
【００４４】
図９は、前記第２実施形態の携帯電話装置（携帯端末機器）１０による検索語入力（見出し語検索）処理に伴い表示部１４に表示される多点スイッチデバイス１２のユーザタッチ位置Ｐに応じた見出し語選択画面Ｇ１を示す図である。
【００４５】
前記多点スイッチデバイス１２をユーザ操作して検索対象として設定された辞典内の見出し語選択を行う際に、当該多点スイッチデバイス１２からのＯＮ信号が検出されると（ステップＴ１）、ＲＡＭ２３内の入力スイッチバッファ２３ｂ（図４参照）にてリアルタイムに記憶される各ＳＷ１〜ＳＷ２０毎のＯＮ“１”またはＯＦＦ“０”のデータに基づき、入力されたスイッチＳＷｎ…が判断される（ステップＴ２）。
【００４６】
すると、ユーザ操作に応じて前記ステップＴ２にて判断された一連の入力スイッチ…ＳＷn-1，ＳＷｎ，ＳＷn+1，…のうちの中心位置に対応したスイッチＳＷｎがユーザ操作位置Ｐとして決定され、前記スイッチ位置／送り語数設定テーブル２３ｃ（図７参照）に従い、当該ユーザ操作位置ＰのスイッチＳＷｎに対応付けられて設定された送り語数または戻り語数に応じて、辞書検索対象として設定されている辞典内の各見出し語（単語）が送られまたは戻されて選択的に読み出され、図９に示すように、選択された見出し語（単語）をカーソルＣで示す見出し語選択画面Ｇ１として液晶表示部１４に表示される（ステップＴ３）。
【００４７】
ここで、多点スイッチデバイス１２に対するタッチ操作位置Ｐの変化に応じてその各入力スイッチＳＷｎ…が変化したと判断された場合には（ステップＴ４（ＹＥＳ））、当該各入力スイッチＳＷｎ…の変化状態がその都度改めて判断され（ステップＴ５→Ｔ２）、前記見出し語選択画面Ｇ１において選択表示される見出し語（単語）が、そのタッチ操作位置Ｐ変化後の送り語数または戻り語数に応じて送られまたは戻されて更新表示される（ステップＴ３）。
【００４８】
この場合、多点スイッチデバイス１２における一連の複数のスイッチ…ＳＷn-1，ＳＷｎ，ＳＷn+1，…がユーザの指にタッチされてＯＮ“１”、つまり入力されてしまっていても、その中心のスイッチＳＷｎをユーザ操作位置Ｐのスイッチとして決定し、この決定されたスイッチＳＷｎに対応する送り語数または戻り語数に応じて多数の見出し語（単語）を前記見出し語選択画面Ｇ１上で送りまたは戻り表示させることで、検索対象辞典内の多数の見出し語（単語）のなかからでも所望の見出し語（単語）を容易に且つスムーズに選択して検索することができる。
【００４９】
そしてこの後、前記ユーザによる見出し語選択操作が終わり当該ユーザの指が前記多点スイッチデバイス１２から離れることで入力スイッチ無しと判断されると（ステップＴ５（ＹＥＳ））、前記ユーザの指が多点スイッチデバイス１２から離れた時点で前記見出し語選択画面Ｇ１にてカーソルＣにより選択表示されていた見出し語（単語）が、検索された見出し語（単語）として決定され、当該検索された見出し語（単語）に対応する訳や意味内容などの説明情報がＲＯＭ２２内の辞書データベースから読み出されて液晶表示部１４に表示される（ステップＴ６）。
【００５０】
したがって、前記構成の第２実施形態の携帯電話装置（携帯端末機器）１０による多点スイッチデバイス１２を使用した検索語入力（見出し語検索）機能によれば、多点スイッチデバイス１２が備える２０個の小型スイッチＳＷ１〜ＳＷ２０を２個ずつ分割した右側５エリアと左側５エリアのそれぞれに、外側へ向けて５段階に増加する見出し語送り語数と見出し語戻り語数を対応付けて設定し、当該多点スイッチデバイス１２に対するユーザのタッチ操作位置Ｐに応じて、そのスイッチエリアに対応付けられた送り語数または戻り語数に従い検索対象辞典内で送られまたは戻される見出し語選択画面Ｇ１を表示させる。そして、ユーザタッチ操作の終了に伴いその時点で前記見出し語選択画面Ｇ１にて選択表示されていた見出し語（単語）が検索見出し語（単語）として決定され、当該検索見出し語（単語）に対応する説明情報が読み出されて表示されるので、入力デバイスの広い設置スペースを要さずに、多数の見出し語（単語）のなかからでも所望の見出し語（単語）を容易に且つスムーズに選択して検索できるようになる。
【００５１】
なお、前記第２実施形態の携帯電話装置（携帯端末機器）１０では、多点スイッチデバイス１２のユーザタッチ操作位置Ｐに応じて、検索対象とする辞典内から読み出されて選択表示される見出し語（単語）の送り語数および戻り語数を段階的に設定し、多数の見出し語（単語）のなかから所望の見出し語（単語）を選択して検索する場合について説明したが、次の第３実施形態において説明するように、同多点スイッチデバイス１２のユーザタッチ操作位置Ｐに応じて、アルファベット順やあいうえお順で集録されている各見出し語の送り量を、先頭文字での文字送り、第２文字目での文字送り、１語送り、１語戻しとして段階的に設定し、前記同様に多数の見出し語（単語）のなかから所望の見出し語（単語）を選択して検索する構成としてもよい。
【００５２】
（第３実施形態）
図１０は、本発明の第３実施形態に係る携帯電話装置１０のＲＡＭ２３に登録されたスイッチ位置／送り単語文字位置設定テーブル２３ｄの内容を示す図である。
【００５３】
この第３実施形態の携帯電話装置１０に搭載された辞書検索機能の起動時において、検索対象として設定された辞典内の見出し語は、前記多点スイッチデバイス１２のスイッチ動作に応じて選択され検索されるもので、図１０におけるスイッチ位置／送り単語文字位置設定テーブル２３ｄにて示すように、当該多点スイッチデバイス１２を構成する２０個の小型スイッチＳＷ１〜ＳＷ２０を５個ずつ４分割したエリアに対応付けて段階的に異なる見出し語（単語）送りのための文字位置（第ｎ文字）および語数が設定される。
【００５４】
具体的には、前記多点スイッチデバイス１２の４つのエリアにその右側から「先頭文字」「第２文字目文字」の文字送り位置を設定すると共に、「１語」「−１語」の単語送り数を設定する。
【００５５】
すなわち、この第３実施形態の携帯電話装置１０では、前記多点スイッチデバイス１２に対するユーザタッチ操作位置Ｐに応じて、辞書検索対象として設定された辞典内に集録されている各見出し語（単語）を、先ずその先頭文字および第２文字目までの文字送りにより一気に所望の見出し語に第２文字目までのスペルが一致する見出し語付近まで送った後に、１語ずつ送りまたは戻して選択表示させ、所望の見出し語の検索を行う。
【００５６】
図１１は、前記第３実施形態の携帯電話装置（携帯端末機器）１０による検索語入力（見出し語検索）処理を示すフローチャートである。
【００５７】
図１２は、前記第３実施形態の携帯電話装置（携帯端末機器）１０による検索語入力（見出し語検索）処理に伴い表示部１４に表示される多点スイッチデバイス１２のユーザタッチ位置Ｐに応じた見出し語選択画面Ｇ２１〜Ｇ２３を示す図である。
【００５８】
前記多点スイッチデバイス１２をユーザ操作して検索対象として設定された辞典内の見出し語選択を行う際に、当該多点スイッチデバイス１２からのＯＮ信号が検出されると（ステップＱ１）、ＲＡＭ２３内の入力スイッチバッファ２３ｂ（図４参照）にてリアルタイムに記憶される各ＳＷ１〜ＳＷ２０毎のＯＮ“１”またはＯＦＦ“０”のデータに基づき、入力されたスイッチＳＷｎ…が判断される（ステップＱ２）。
【００５９】
すると、ユーザ操作に応じて前記ステップＱ２にて判断された一連の入力スイッチ…ＳＷn-1，ＳＷｎ，ＳＷn+1，…のうちの中心位置に対応したスイッチＳＷｎがユーザ操作位置Ｐとして決定され、前記スイッチ位置／送り単語文字位置設定テーブル２３ｄ（図１０参照）に従い、当該ユーザ操作位置ＰのスイッチＳＷｎに対応付けられて設定されたスペル文字位置または送り語数に応じて、辞書検索対象として設定されている辞典内の各見出し語（単語）が文字送りまたは１語送り１語戻しされて選択的に読み出され、図１２（Ａ）〜（Ｃ）に示すように、選択されたスペル文字位置あるいは見出し語（単語）をカーソルＣで示す見出し語先頭文字選択画面Ｇ２１、見出し語第２文字目選択画面Ｇ２２、見出し語選択画面Ｇ２３として液晶表示部１４に表示される（ステップＱ３〜Ｑ６）。
【００６０】
ここで、多点スイッチデバイス１２に対するタッチ操作位置Ｐの変化に応じてその各入力スイッチＳＷｎ…が変化したと判断された場合には（ステップＱ７（ＹＥＳ））、当該各入力スイッチＳＷｎ…の変化状態がその都度改めて判断され（ステップＱ８→Ｑ２）、前記見出し語先頭文字選択画面Ｇ２１、見出し語第２文字目選択画面Ｇ２２、見出し語選択画面Ｇ２３において選択表示される見出し語先頭文字や第２文字目文字、あるいは第２文字目までを固定にした見出し語（単語）が、そのタッチ操作位置Ｐ変化後の文字送り位置あるいは送り語数に応じて文字送りあるいは見出し語送りされて更新表示される（ステップＱ３〜Ｑ６）。
【００６１】
すなわち、前記ステップＱ２でのスイッチ判断処理により、多点スイッチデバイス１２におけるユーザ操作位置Ｐが第１エリアに含まれると判断された場合には、例えば図１２（Ａ）に示すように、検索対象辞典内の先頭のスペル文字だけがカーソルＣにより文字送りされて選択される見出し語先頭文字選択画面Ｇ２１が表示される（ステップＱ３）。
【００６２】
そして、所望の見出し語の先頭文字「Ｄ」が選択された状態で前記多点スイッチデバイス１２における次のユーザ操作位置Ｐが第２エリアに含まれると判断された場合には、図１２（Ｂ）に示すように、前記先頭文字「Ｄ」に固定された検索対象辞典内の第２文字目のスペル文字だけがカーソルＣにより文字送りされて選択される見出し語第２文字目選択画面Ｇ２２が表示される（ステップＱ４）。
【００６３】
さらに、所望の見出し語の第２文字目「ＤＩ」までが選択された状態で前記多点スイッチデバイス１２における次のユーザ操作位置Ｐが第３または第４エリアに含まれると判断された場合には、図１２（Ｃ）に示すように、当該所望の見出し語の第２文字目「ＤＩ」までが固定された検索対象辞典内の各見出し語がカーソルＣにより１語送りまたは１語戻しされて選択される見出し語選択画面Ｇ２３が表示される（ステップＱ５，Ｑ６）。
【００６４】
この場合、多点スイッチデバイス１２における一連の複数のスイッチ…ＳＷn-1，ＳＷｎ，ＳＷn+1，…がユーザの指にタッチされてＯＮ“１”、つまり入力されてしまっていても、その中心のスイッチＳＷｎをユーザ操作位置Ｐのスイッチとして決定し、この決定されたスイッチＳＷｎに対応する文字送り位置あるいは送り語数に応じて多数の見出し語（単語）を前記各見出し語選択画面Ｇ２１〜Ｇ２３上で段階的に選択表示させることで、検索対象辞典内の多数の見出し語（単語）のなかからでも所望の見出し語（単語）を容易に且つスムーズに選択して検索することができる。
【００６５】
そしてこの後、前記ユーザによる見出し語選択操作が終わり当該ユーザの指が前記多点スイッチデバイス１２から離れることで入力スイッチ無しと判断されると（ステップＱ８（ＹＥＳ））、前記ユーザの指が多点スイッチデバイス１２から離れた時点で前記見出し語選択画面Ｇ２３にてカーソルＣにより選択表示されていた見出し語（単語）が、検索された見出し語（単語）として決定され、当該検索された見出し語（単語）に対応する訳や意味内容などの説明情報がＲＯＭ２２内の辞書データベースから読み出されて液晶表示部１４に表示される（ステップＱ９）。
【００６６】
したがって、前記構成の第３実施形態の携帯電話装置（携帯端末機器）１０による多点スイッチデバイス１２を使用した検索語入力（見出し語検索）機能によれば、多点スイッチデバイス１２が備える２０個の小型スイッチＳＷ１〜ＳＷ２０を５個ずつ４分割したエリアに対応付けて段階的に異なる見出し語（単語）送りのための文字位置（第ｎ文字）および語数を設定し、当該多点スイッチデバイス１２に対するユーザのタッチ操作位置Ｐに応じて、そのスイッチエリアに対応付けられた文字の送り位置または見出し語の送り語数に従い検索対象辞典内で文字送りそして見出し語送りされる見出し語先頭文字選択画面Ｇ２１や見出し語第２文字目選択画面Ｇ２２、そして見出し語選択画面Ｇ２３を表示させる。そして、ユーザタッチ操作の終了に伴いその時点で前記見出し語選択画面Ｇ２３にて選択表示されていた見出し語（単語）が検索見出し語（単語）として決定され、当該検索見出し語（単語）に対応する説明情報が読み出されて表示されるので、前記第２実施形態と同様、入力デバイスの広い設置スペースを要さずに、多数の見出し語（単語）のなかからでも所望の見出し語（単語）を容易に且つスムーズに選択して検索できるようになる。
【００６７】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００６８】
【図１】本発明の電子機器の実施形態に係る携帯電話装置（携帯端末機器）１０の外観構成を示す正面図。
【図２】前記携帯電話装置１０の電子回路の構成を示すブロック図。
【図３】前記携帯電話装置１０のＲＡＭ２３に登録された機能／スイッチ対応テーブル２３ａの内容を示す図。
【図４】前記携帯電話装置１０のＲＡＭ２３に備えられた入力スイッチバッファ２３ｂの動作状態を示す図。
【図５】前記第１実施形態の携帯電話装置（携帯端末機器）１０による機能選択処理を示すフローチャート。
【図６】前記第１実施形態の携帯電話装置（携帯端末機器）１０による機能選択処理に伴い表示部１４に表示される多点スイッチデバイス１２のユーザタッチ位置Ｐに応じた機能・辞典選択画面Ｇを示す図。
【図７】本発明の第２実施形態に係る携帯電話装置１０のＲＡＭ２３に登録されたスイッチ位置／送り単語数設定テーブル２３ｃの内容を示す図。
【図８】前記第２実施形態の携帯電話装置（携帯端末機器）１０による検索語入力（見出し語検索）処理を示すフローチャート。
【図９】前記第２実施形態の携帯電話装置（携帯端末機器）１０による検索語入力（見出し語検索）処理に伴い表示部１４に表示される多点スイッチデバイス１２のユーザタッチ位置Ｐに応じた見出し語選択画面Ｇ１を示す図。
【図１０】本発明の第３実施形態に係る携帯電話装置１０のＲＡＭ２３に登録されたスイッチ位置／送り単語文字位置設定テーブル２３ｄの内容を示す図。
【図１１】前記第３実施形態の携帯電話装置（携帯端末機器）１０による検索語入力（見出し語検索）処理を示すフローチャート。
【図１２】前記第３実施形態の携帯電話装置（携帯端末機器）１０による検索語入力（見出し語検索）処理に伴い表示部１４に表示される多点スイッチデバイス１２のユーザタッチ位置Ｐに応じた見出し語選択画面Ｇ２１〜Ｇ２３を示す図。
【符号の説明】
【００６９】
１０  …携帯電話装置（携帯端末機器）
１０ａ…本体ケース
１０ｂ…表示部ケース
１１  …キー入力部
１２  …多点スイッチデバイス（長尺型位置検出デバイス）
１３  …マイク
１４  …液晶表示部
１５  …スピーカ
１６  …アンテナ
２１  …制御部（ＣＰＵ）
２２  …ＲＯＭ
２３  …ＲＡＭ
２３ａ…機能／スイッチ対応テーブル
２３ｂ…入力スイッチバッファ
２３ｃ…スイッチ位置／送り単語数設定テーブル
２３ｄ…スイッチ位置／送り単語文字位置設定テーブル
２４  …音声変換回路
２５  …無線部
ＳＷ１〜ＳＷ２０…小型スイッチ
Ｋ１〜Ｋ２０…機能（辞典）名
Ｇ    …機能・辞典選択画面
Ｇ１  …見出し語選択画面
Ｇ２１…見出し語先頭文字選択画面
Ｇ２２…見出し語第２文字目選択画面
Ｇ２３…見出し語選択画面
Ｐ    …タッチ操作位置
Ｃ    …カーソル
【図１】
2008236549.tif 000003
【図２】
2008236549.tif 000004
【図３】
2008236549.tif 000005
【図４】
2008236549.tif 000006
【図５】
2008236549.tif 000007
【図６】
2008236549.tif 000008
【図７】
2008236549.tif 000009
【図８】
2008236549.tif 000010
【図９】
2008236549.tif 000011
【図１０】
2008236549.tif 000012
【図１１】
2008236549.tif 000013
【図１２】
2008236549.tif 000014